【手続補正書】
【提出日】平成18年1月13日(2006.1.13)
【手続補正１】
【補正対象書類名】特許請求の範囲
【補正対象項目名】全文
【補正方法】変更
【補正の内容】
【特許請求の範囲】
【請求項１】
木質系固形燃料を収容する燃料収容部と、該燃料収容部内の木質系固形燃料を燃焼装置の燃焼部位へ導くための燃料搬送路と、該燃料搬送路内に設けられた搬送部材と、該搬送部材を回転駆動する駆動源を有する木質系固形燃料供給装置において、
上記搬送部材は螺旋状に形成され、上記燃料搬送路の搬送方向先端部は上記燃焼部位の上方近傍に位置し、且つ、該先端部は木質系固形燃料を搬送方向に沿って排出する開口を有し、上記搬送部材で搬送された木質系固形燃料を搬送方向に排出して落下させることを特徴とする木質系固形燃料供給装置。
【請求項２】
請求項１記載の木質系固形燃料供給装置において、
上記搬送部材は断面が円形状の線材で形成されていることを特徴とする木質系固形燃料供給装置。
【請求項３】
請求項１又は２記載の木質系固形燃料供給装置において、
上記搬送部材はその燃料搬送方向における前後端部のうち、上記駆動源側のみを支持されていることを特徴とする木質系固形燃料供給装置。
【請求項４】
請求項１乃至３のうちの何れか１つに記載の木質系固形燃料供給装置において、
上記燃料搬送路の内径が上記搬送部材の外径よりも大きく設定され、上記木質系固形燃料は上記燃料搬送路の内面との間に余裕を持つ量を維持されながら供給されることを特徴とする木質系固形燃料供給装置。
【請求項５】
請求項１乃至４のうちの何れか１つに記載の木質系固形燃料供給装置において、
上記燃料搬送路が上記燃料収容部から上記燃焼部位へ向かって上り勾配を有していることを特徴とする木質系固形燃料供給装置。
【手続補正２】
【補正対象書類名】明細書
【補正対象項目名】０００９
【補正方法】変更
【補正の内容】
【０００９】
上記目的を達成するために、本発明では、木質系固形燃料の搬送部材にフレキシブル性を持たせて搬送時の木質系固形燃料の逃げを容易にし、壊されにくさを向上させることとした。
具体的には、請求項１記載の発明では、木質系固形燃料を収容する燃料収容部と、該燃料収容部内の木質系固形燃料を燃焼装置の燃焼部位へ導くための燃料搬送路と、該燃料搬送路内に設けられた搬送部材と、該搬送部材を回転駆動する駆動源を有する木質系固形燃料供給装置において、上記搬送部材は螺旋状に形成され、上記燃料搬送路の搬送方向先端部は上記燃焼部位の上方近傍に位置し、且つ、該先端部は木質系固形燃料を搬送方向に沿って排出する開口を有し、上記搬送部材で搬送された木質系固形燃料を搬送方向に排出して落下させることを特徴とする。
【手続補正３】
【補正対象書類名】明細書
【補正対象項目名】００１０
【補正方法】変更
【補正の内容】
【００１０】
請求項２記載の発明では、請求項１記載の木質系固形燃料供給装置において、上記搬送部材は断面が円形状の線材で形成されていることを特徴とする。
【手続補正４】
【補正対象書類名】明細書
【補正対象項目名】００１１
【補正方法】変更
【補正の内容】
【００１１】
請求項３記載の発明では、請求項１又は２記載の木質系固形燃料供給装置において、上記搬送部材はその燃料搬送方向における前後端部のうち、上記駆動源側のみを支持されていることを特徴とする。
【手続補正５】
【補正対象書類名】明細書
【補正対象項目名】００１２
【補正方法】変更
【補正の内容】
【００１２】
請求項４記載の発明では、請求項１乃至３のうちの何れか１つに記載の木質系固形燃料供給装置において、上記燃料搬送路の内径が上記搬送部材の外径よりも大きく設定され、上記木質系固形燃料は上記燃料搬送路の内面との間に余裕を持つ量を維持されながら供給されることを特徴とする。
【手続補正６】
【補正対象書類名】明細書
【補正対象項目名】００１３
【補正方法】変更
【補正の内容】
【００１３】
請求項５記載の発明では、請求項１乃至４のうちの何れか１つに記載の木質系固形燃料供給装置において、上記燃料搬送路が上記燃料収容部から上記燃焼部位へ向かって上り勾配を有していることを特徴とする。
【手続補正７】
【補正対象書類名】明細書
【補正対象項目名】００１４
【補正方法】変更
【補正の内容】
【００１４】
請求項１記載の発明によれば、木質系固形燃料を収容する燃料収容部と、該燃料収容部内の木質系固形燃料を燃焼装置の燃焼部位へ導くための燃料搬送路と、該燃料搬送路内に設けられた搬送部材と、該搬送部材を回転駆動する駆動源を有する木質系固形燃料供給装置において、上記搬送部材は螺旋状に形成され、上記燃料搬送路の搬送方向先端部は上記燃焼部位の上方近傍に位置し、且つ、該先端部は木質系固形燃料を搬送方向に沿って排出する開口を有し、上記搬送部材で搬送された木質系固形燃料を搬送方向に排出して落下させる構成としたので、搬送工程における木質系固形燃料の壊れを低減でき、燃料消費率の向上を図ることができる。
また、燃料搬送路の先端部において木質系固形燃料が溜まることによる搬送部材の回転負荷を低減でき、駆動源の小型化・低電力化を図ることができる。
【手続補正８】
【補正対象書類名】明細書
【補正対象項目名】００１５
【補正方法】変更
【補正の内容】
【００１５】
請求項２記載の発明によれば、請求項１記載の木質系固形燃料供給装置において、上記搬送部材は断面が円形状の線材で形成されている構成としたので、搬送工程における木質系固形燃料の壊れを更に低減できる。
【手続補正９】
【補正対象書類名】明細書
【補正対象項目名】００１６
【補正方法】変更
【補正の内容】
【００１６】
請求項３記載の発明によれば、請求項１又は２記載の木質系固形燃料供給装置において、上記搬送部材はその燃料搬送方向における前後端部のうち、上記駆動源側のみを支持されている構成としたので、搬送部材のフレキシブル性により搬送工程における木質系固形燃料の壊れをより一層低減でき、燃料消費率の更なる向上を図ることができる。
【手続補正１０】
【補正対象書類名】明細書
【補正対象項目名】００１７
【補正方法】変更
【補正の内容】
【００１７】
請求項４記載の発明によれば、請求項１乃至３のうちの何れか１つに記載の木質系固形燃料供給装置において、上記燃料搬送路の内径が上記搬送部材の外径よりも大きく設定され、上記木質系固形燃料は上記燃料搬送路の内面との間に余裕を持つ量を維持されながら供給される構成としたので、搬送工程における木質系固形燃料の壊れを更に低減できる。
【手続補正１１】
【補正対象書類名】明細書
【補正対象項目名】００１８
【補正方法】変更
【補正の内容】
【００１８】
請求項５記載の発明によれば、請求項１乃至４のうちの何れか１つに記載の木質系固形燃料供給装置において、上記燃料搬送路が上記燃料収容部から上記燃焼部位へ向かって上り勾配を有している構成としたので、木質系固形燃料が燃料搬送部の先端部に溜まって搬送部材が回転しないのに落下する等の不具合を防止できる。また、燃焼筐体内の燃焼部位から燃料搬送路の先端部を遠ざけることができるので、燃料搬送路内の木質系固形燃料が発火することを防止できる。
【手続補正１２】
【補正対象書類名】明細書
【補正対象項目名】００２５
【補正方法】変更
【補正の内容】
【００２５】
ホッパ１８の底部は燃料搬送路１９に連通している。燃料搬送路１９は耐熱性材料（例えばステンレス）で形成されており、略水平に延びてその先端部が燃焼炉９の上部近傍に達するように配置されている。燃料搬送路１９の先端部は木質系ペレット８を搬送方向に沿って排出する開口を有し、該先端部には、搬送された木質系ペレット８を搬送方向に排出して燃焼炉９内に落下させるための樋状のシュート部１９ａが斜めに形成されている。
燃料搬送路１９の先端部から水平及び垂直方向に距離をおいて燃焼炉９に木質系ペレット８を落下させる方式であるので、燃料搬送路１９内にある供給前の木質系ペレット８への引火を防止することができる。落下方式の場合、燃料搬送路１９の先端部における木質系ペレット８の圧縮・溜まりがなく、搬送部材２０に対する木質系ペレット８の抵抗が小さくなるので、駆動源（モータ２１）を小型にでき、且つ省電力化を図れる利点がある。